(57)【特許請求の範囲】
【請求項１】
有底筒体からなる軸筒の前端にペン先を備え、前記軸筒の内部に、前記ペン先と接続されるインキ吸蔵体と、前記インキ吸蔵体の後端部を支持する支持部材とを収容し、前記軸筒の前端開口部より前記インキ吸蔵体及び前記支持部材を挿入して組み立てられる筆記具であって、
前記軸筒の内周面に軸方向に延びる複数本の縦リブを設け、前記支持部材の外周面に軸方向に延びる複数本の縦溝を設け、前記縦リブの前部を前記インキ吸蔵体の後部外周面に接触させ、前記縦リブの後部を前記支持部材の縦溝に係合させたことを特徴とする筆記具。
【請求項２】
前記支持部材の前端部の外周面に、前方及び径方向外方に開口する凹部を設け、前記凹部が前記縦溝に連通してなる請求項１に記載の筆記具。
【発明の詳細な説明】
【技術分野】
【０００１】
本発明は、筆記具に関する。
【背景技術】
【０００２】
従来、この種の筆記具において、例えば、特許文献１には、軸筒内に収容のインキ吸蔵体の後端と軸筒底面との間に前記吸蔵体の支持部材を介在させた筆記具であって、支持部材は軸筒開口部の内径より僅かに小径の外径の基部と、該基部の一端部の周縁部に適宜間隔をおいて軸方向に少なくとも３個配設され、末端部に向かい径方向に拡開された形状に成形され、径方向に弾力性を備えた周縁片とからなるプラスチックの一体成形部材であり、前記周縁片の各末端部を、軸筒側壁面に圧接させ、且つインキ吸蔵体後端面に接触させて組み立てられる筆記具が開示されている。
【先行技術文献】
【特許文献】
【０００３】
【特許文献１】実公平６−１６７９６号公報
【発明の概要】
【発明が解決しようとする課題】
【０００４】
前記特許文献１の筆記具は、支持部材が軸筒内において軸線に対して傾いて配置されるおそれがある。その場合、インキ吸蔵体の後端と支持部材の前端が適正に当接されず、インキ吸蔵体の取付状態が不安定となり、それにより、ペン先とインキ吸蔵体との適正な接続がなされず、ペン先からのインキ吐出性が低下するおそれがある。
【０００５】
本発明は前記従来の問題点を解決するものであって、軸筒内においてインキ吸蔵体を安定して支持できる筆記具を提供しようとするものである。
【０００６】
尚、本発明において、「前」とはペン先側を指し、「後」とはその反対側を指す。
【課題を解決するための手段】
【０００７】
本願の第１の発明は、有底筒体からなる軸筒２の前端にペン先３を備え、前記軸筒２の内部に、前記ペン先３と接続されるインキ吸蔵体５と、前記インキ吸蔵体５の後端部を支持する支持部材６とを収容し、前記軸筒２の前端開口部より前記インキ吸蔵体５及び前記支持部材６を挿入して組み立てられる筆記具であって、前記軸筒２の内周面に軸方向に延びる複数本の縦リブ２２を設け、前記支持部材６の外周面に軸方向に延びる複数本の縦溝６１を設け、前記縦リブ２２の前部を前記インキ吸蔵体５の後部外周面に接触させ、前記縦リブ２２の後部を前記支持部材６の縦溝６１に係合させたことを要件とする。
【０００８】
前記第１の発明の筆記具は１、前記軸筒２の内周面に軸方向に延びる複数本の縦リブ２２を設け、前記支持部材６の外周面に軸方向に延びる複数本の縦溝６１を設け、前記縦リブ２２の前部を前記インキ吸蔵体５の後部外周面に接触させ、前記縦リブ２２の後部を前記支持部材６の縦溝６１に係合させたことにより、インキ吸蔵体５の後部外周面が径方向に安定して支持されるとともに、軸筒２内において支持部材６が、軸線に対して傾くことなく安定して配置され、その結果、インキ吸蔵体５の安定した支持が可能となる。
【０００９】
本願の第２の発明は、前記第１の発明の筆記具１において、前記支持部材６の前端部の外周面に、前方及び径方向外方に開口する凹部６３を設け、前記凹部６３が前記縦溝６１に連通してなることを要件とする。
【００１０】
前記第２に発明の筆記具１は、前記支持部材６の前端部の外周面に、前方及び径方向外方に開口する凹部６３を設け、前記凹部６３が前記縦溝６１に連通してなることにより、インキ消費に伴うインキ吸蔵体５の後端面からインキ吸蔵体５内への空気の取り込みがスムーズとなる。また、前記第２に発明の筆記具１は、万が一、落下衝撃でインキ吸蔵体５の後端から凹部６３にインキが漏出したとしても、漏出インキが縦リブ２２に誘導されて縦溝６１内に保持されるため、漏出インキが凹部６３に保持されることがなく、インキ吸蔵体５の後端面でのスムーズな空気の取り込みが可能となる。
【発明の効果】
【００１１】
本発明の筆記具は、インキ吸蔵体の安定した支持が可能となる。
【図面の簡単な説明】
【００１２】
【図１】本発明の実施の形態の筆記具の縦断面図である。
【図２】図１のＡ−Ａ線拡大断面図である。
【図３】図１のＢ−Ｂ線拡大断面図である。
【図４】図１のＣ−Ｃ線拡大断面図である。
【図５】図１の支持部材の斜視図である。
【発明を実施するための形態】
【００１３】
本発明の筆記具の実施の形態を図面に従って説明する。（図１乃至図５参照）
【００１４】
本発明の筆記具１は、軸筒２と、前記軸筒２の前端に固着されたペン先３と、前記軸筒２内に収容され且つ前記ペン先３の後端部と接続されるインキ吸蔵体５と、前記軸筒２内に収容され且つ前記インキ吸蔵体５の後端部を支持する支持部材６とを備える。
【００１５】
・軸筒
前記軸筒２は、前端が開口され且つ後端近傍が底壁２１により閉鎖された円筒状の有底筒体からなり、円筒状の本体と底壁２１とが合成樹脂の射出成形により一体に形成される。前記軸筒２の内周面に、軸方向に延びる複数本（例えば６本）の縦リブ２２が一体に形成される。前記縦リブの各々は、前記軸筒２の内周面に周方向の適宜間隔を置いて配置され、本実施の形態では、前記軸筒２の内周面に周方向の等間隔に形成される。前記縦リブ２２は、軸筒２の少なくとも底壁より前方に適宜長さに形成される。本実施の形態では、軸筒２の中間部から底壁２１までの間に形成される。前記縦リブ２２の後端は前記底壁２１に一体に連設される。前記縦リブ２２の本数は、インキ吸蔵体５の外周面を安定的に支持するために４本以上が好ましい。
【００１６】
・ペン先
前記ペン先３は、合成樹脂の押出成形体または繊維の樹脂加工体により得られる。前記ペン先３は、ペン先ホルダー４を介して軸筒２の前端開口部の内周面に固着される。前記ペン先３の前端部は適宜、筆記先端形状（例えば先細状、砲弾状、チゼル状）に形成される。前記ペン先３の後端部はインキ吸蔵体５の前端部に直接または別部材を介して突き刺し接続される。前記ペン先ホルダー４外面と軸筒２内面のとの間には、外部から軸筒２内へ空気を取り込むための空気通路４１が形成される。
【００１７】
・インキ吸蔵体
前記インキ吸蔵体５は、円柱状の合成樹脂製繊維（例えばポリエステル繊維）の加工体よりなる。前記インキ吸蔵体５の外周面には円筒状の外皮が被覆される。前記外皮は合成樹脂製フィルム（例えばポリエチレンテレフタレート製フィルム）よりなる。前記インキ吸蔵体５にインキが含浸保持される。
【００１８】
・支持部材
前記支持部材６は、円柱状の合成樹脂（例えば、ポリアセタール、ポリプロピレン、ポリエチレン、ＡＢＳ樹脂等）の成形体よりなる。前記支持部材６の外周面には、複数本（例えば６本）の軸方向に延びる縦溝６１が貫設される。前記各々の縦溝６１は、径方向外方に開口されるとともに、支持部材６の前端より前方に開口され且つ支持部材６の後端より後方に開口される。前記各々の縦溝６１は、前記支持部材６の外周面に等間隔で配置される。前記各々の縦溝６１に前記軸筒２の内周面の各々の縦リブ２２が係合される。
【００１９】
・凹部
前記支持部材６の前端部には、複数（例えば３個）の凹部６３が形成される。前記凹部６３は、軸方向前方に開口され且つ径方向外方に開口される。前記各々の凹部６３は、周方向の両側の縦溝６１に連通される。前記支持部材６の外周面には、前記縦溝６１間に軸方向に延びる複数（例えば６個）の凸部６４が形成される。前記複数の凸部６４のうち、少なくとも一つの凸部６４の前端には、前記凹部６３が形成される。本実施の形態では、３個の凸部６４に凹部６３が形成される。前記支持部材６の前端がインキ吸蔵体５の後端を安定して支持するために、前記凹部６３は全ての凸部６４に設けていない。
【００２０】
・傾斜面
前記各々の縦溝６１の後端部の内壁の両側には、縦溝６１の溝幅が後方に向かうに従い大きくなる傾斜面６２が形成される。前記傾斜面６２によって、支持部材６を軸筒２内に挿入する際、各々縦リブ２２を各々の縦溝６１内に容易に挿入できる。インキ吸蔵体５を軸筒２内に挿入する際、縦リブ２２がインキ吸蔵体５の外周面に接触し、インキ吸蔵体５が軸筒２の軸心にガイドされる。
【００２１】
・縦リブ
前記軸筒２内周面の縦リブ２２の前部は、前記インキ吸蔵体５の後部外周面に接触される。前記軸筒２内周面の縦リブ２２の後部は、前記支持部材６の縦溝６１に軸方向に挿入されるとともに前記縦溝６１と係合される。また、前記
【００２２】
・支持部材の前端及び後端
前記支持部材６の前端が、インキ吸蔵体５の後端面に当接され、前記支持部材６の後端が、軸筒２の底壁２１または軸筒２の内壁の係止壁に係止される。
【００２３】
・縦溝
前記各々の縦溝６１が、支持部材６の前端より前方に開口され且つ支持部材６の後端より後方に開口されることにより、前記各々の縦溝６１が、支持部材６の略前端から略後端まで延設されるため、軸筒２の内周面の各々の縦リブ２２との係合により、軸筒２内において支持部材６が安定して取り付けられる。また、前記各々の凸部６４が、軸筒２の内周面に嵌合されることが好ましい。それにより、一層、軸筒２内において支持部材６が安定して取り付けられる。
【００２４】
・底壁と支持部材
前記軸筒２の底壁は、円錐面状に形成され、前方に突出される。前記支持部材６の後端部は、筒状に形成され、前記支持部材６の筒状後端部の内部に、前記底壁２１が挿入される。前記支持部材６の後端部の内周面に円錐状の底壁２１が当接され、より一層、前記支持部材が安定して支持される。
【００２５】
・尾冠
前記軸筒２の底壁２１後方の後端部には、後方に開口する有底空間が形成される。前記有底空間に尾冠７が圧入固着される。
【００２６】
・組み立て
本実施の形態では、軸筒２の前端開口部より支持部材６を挿入し、軸筒２の各々の縦リブ２２と支持部材６の各々の縦溝６１を係合させながら、軸筒２内の底壁２１に向かって支持部材６を後方に移動させ、支持部材６を底壁２１に当接させて軸筒２内に収容配置する。次に、インキ吸蔵体５を軸筒２の前端開口部より挿入し、インキ吸蔵体５の外周面と軸筒２の縦リブ２２とを接触させるとともに、支持部材６の前端にインキ吸蔵体５の後端を当接させる。
【００２７】
・作用
本実施の形態の筆記具１は、前記軸筒２の内周面に軸方向に延びる複数本の縦リブ２２を設け、前記支持部材６の外周面に軸方向に延びる複数本の縦溝６１を設け、前記縦リブ２２の前部を前記インキ吸蔵体５の後部外周面に接触させ、前記縦リブ２２の後部を前記支持部材６の縦溝６１に係合させたことにより、インキ吸蔵体５の後部外周面が径方向に安定して支持されるとともに、軸筒２内において支持部材６が、軸線に対して傾くことなく安定して配置され、その結果、インキ吸蔵体５の安定した支持が可能となる。
【００２８】
本実施の形態の筆記具１は、前記支持部材６の前端部の外周面に、前方及び径方向外方に開口する凹部６３を設け、前記凹部６３が前記縦溝６１に連通してなることにより、インキ消費に伴うインキ吸蔵体５の後端面からインキ吸蔵体５内への空気の取り込みがスムーズとなる。また、本実施の形態の筆記具１は、万が一、落下衝撃でインキ吸蔵体５の後端から凹部６３にインキが漏出したとしても、漏出インキが縦リブ２２に誘導されて縦溝６１内に保持されるため、漏出インキが凹部６３に保持されることがなく、インキ吸蔵体５の後端面でのスムーズな空気の取り込みが可能となる。
【符号の説明】
【００２９】
１  筆記具
２  軸筒
２１  底壁
２２  縦リブ
３  ペン先
４  ペン先ホルダー
４１  空気通路
５  インキ吸蔵体
６  支持部材
６１  縦溝
６２  傾斜面
６３  凹部
６４  凸部
７  尾冠
【図１】
0006511348.tif 000002
【図２】
0006511348.tif 000003
【図３】
0006511348.tif 000004
【図４】
0006511348.tif 000005
【図５】
0006511348.tif 000006